(57)【特許請求の範囲】
【請求項１】
被掃除面に対向させた吸込口と、
前記被掃除面に対向させた回転清掃体と、
前記回転清掃体の回転軸に略平行な方向に往復運動可能であり前記被掃除面に対向させた複数の往復動清掃体と、
前記吸込口よりも前記被掃除面から離間した吸気口と、
前記吸気口から吸い込まれる空気によって回転されるエアタービン、エアタービンに回転一体の回転軸、前記回転軸の端部から突出して前記回転軸が回転すると前記回転軸の回転中心線回りに円運動するクランクピン、および前記往復動清掃体の１つに設けられ前記クランクピンが挿入されて前記クランクピンの円運動を前記往復動清掃体の水平往復運動に変換するヨーク部を有する前記回転清掃体および前記往復動清掃体の駆動部と、
相互に隣り合う２つの前記往復動清掃体を連結し、前記ヨーク部が設けられた前記往復動清掃体の往復運動に位相差を設けて他の前記往復動清掃体を往復運動させる揺動部材と、を備えることを特徴とする吸込口体。
【請求項２】
前記エアタービンは扁平、かつ平面視で円形状を呈し、前記吸込口体の幅方向の略中央に配置され、
前記回転軸は前記エアタービンから下方に延び、
前記ヨーク部が設けられた前記往復動清掃体は前記回転軸の下方に配置されることを特徴とする請求項１に記載の電気掃除機の吸込口体。
【請求項３】
前記往復動清掃体の位相差は、１８０°であることを特徴とする請求項１または２に記載の吸込口体。
【請求項４】
電動送風機を収容した掃除機本体と、
前記電動送風機の吸込側に接続させて連通された請求項１から３のいずれか１項に記載の吸込口体とを備えることを特徴とする電気掃除機。
【発明の詳細な説明】
【技術分野】
【０００１】
本発明は、進行方向に交わる方向に往復運動が可能な往復動清掃体を有する吸込口体およびこの吸込口体を備えた電気掃除機に関する。
【背景技術】
【０００２】
一般に電気掃除機は被掃除面から空気とともに塵埃を吸い込む吸込口体を備える。
【０００３】
特許文献１に記載の吸込口体は、回転清掃体と、回転清掃体の駆動部と、駆動部から回転清掃体に駆動力を伝える伝達部とを備える。駆動部は扁平型のエアタービンを有する。吸込口体の本体ケースの上部には吸気口が形成される。エアタービンは吸気口から吸い込まれた空気流によって回動される。エアタービンの回転運動は、伝達部を介して回転ブラシを回動させる。
【０００４】
また、特許文献２に記載の吸込口体は、回転清掃体と、回転清掃体の駆動である回転駆動部と、往復動清掃体と、往復動清掃体の駆動部である往復動駆動部とを備える。往復動清掃体は、被掃除面に対向する面、すなわち底面に設けられる。往復動駆動部は、電磁石を有する。電磁石は、その磁界を変化させることによって、往復動清掃体を吸込口体の前後方向に水平往復運動させる。
【特許文献１】特開平９−２４８２６０号公報
【特許文献２】特開平５−１８４４９２号公報
【発明の開示】
【発明が解決しようとする課題】
【０００５】
一般に、電気掃除機の使用者は、吸込口体を被掃除面に沿わせて前後に往復運動させて被掃除面上を掃除する。
【０００６】
特許文献１および２に記載の吸込口体が備える回転清掃体の回転軸は、吸込口体の進行方向である前後方向に交わり、略直交する方向である左右方向に構成される。回転清掃体は、その回転軸を中心とする螺旋状のブラシ毛を備える。回転清掃体が回動されると、ブラシ毛は、ほぼ吸込口体の進行方向である前後方向に沿って床面を掻き揚げる。
【０００７】
ここで、例えばフローリングのように板材を複数組み合わせて構成された床面などの被掃除面であり、継ぎ目や傷などの溝を有する被掃除面を掃除する場合を考える。
【０００８】
被掃除面に存する溝に沿う方向に吸込口体を移動させると、回転清掃体に備えられたブラシ毛の先端は溝の奥深くまで入り込み、溝に挟まった塵埃を容易に掻き揚げて除去できる。
【０００９】
他方、被掃除面に存する溝に交わる方向に吸込口体が移動させると、ブラシ毛は、まず床面に当接されて屈曲される。この後、ブラシ毛が溝に到達すると、ブラシ毛の先端は溝の奥に入り込むまで復元することなく溝を通過してしまい、溝の奥に入り込んで挟まった塵埃を除去することが困難であった。
【００１０】
また、特許文献２に記載の吸込口体が備える往復動清掃体は、被掃除面を吸込口体の前後方向または左右方向に往復運動する。
【００１１】
すなわち、従来の電気掃除機の吸込口体が備える回転清掃体および往復動清掃体は、被掃除面上に存する塵埃を任意の方向へ“はく”ものである。しかしながら、例えば被掃除面に付着した塵埃は、“はく”動作では除去が困難である。そうすると、電気掃除機の使用者は、吸込口体を何度も往復運動させる必要があった。
【００１２】
本発明は、被掃除面上に存する塵埃を効率的に除去可能な清掃体を有する吸込口体および電気掃除機を提案する。
【課題を解決するための手段】
【００１３】
前記の課題を解決するため本発明では、被掃除面に対向させた吸込口と、前記被掃除面に対向させた回転清掃体と、前記回転清掃体の回転軸に略平行な方向に往復運動可能であり前記被掃除面に対向させた複数の往復動清掃体と、前記吸込口よりも前記被掃除面から離間した吸気口と、前記吸気口から吸い込まれる空気によって回転されるエアタービン、エアタービンに回転一体の回転軸、前記回転軸の端部から突出して前記回転軸が回転すると前記回転軸の回転中心線回りに円運動するクランクピン、および前記往復動清掃体の１つに設けられ前記クランクピンが挿入されて前記クランクピンの円運動を前記往復動清掃体の水平往復運動に変換するヨーク部を有する前記回転清掃体および前記往復動清掃体の駆動部と、相互に隣り合う２つの前記往復動清掃体を連結し、前記ヨーク部が設けられた前記往復動清掃体の往復運動に位相差を設けて他の前記往復動清掃体を往復運動させる揺動部材と、を備えることを特徴とする。
【発明の効果】
【００１４】
本発明によれば、被掃除面上に存する塵埃を効率的に除去できる吸込口体および電気掃除機を提供できる。
【発明を実施するための最良の形態】
【００１５】
本発明に係る電気掃除機の吸込口体および電気掃除機の実施形態について、図１から図８を参照して説明する。
【００１６】
図１は、本発明に係る電気掃除機の外観を示した図である。
【００１７】
図１に示すように、本実施形態に係る電気掃除機１は、掃除機本体２と、集塵ホース３と、手元操作管４と、把持部５と、操作部６と、延長管７と、吸込口体８とを備える。
【００１８】
掃除機本体２には集塵ホース３の一端が着脱自在に接続された接続口２ａが形成される。掃除機本体２の内部には集塵パック（図示省略）と、電動送風機９とが収容される。集塵パックは、掃除機本体２の内部に着脱可能に収容され、接続口２ａに連通される。電動送風機９は、集塵パックを介して接続口２ａに負圧を作用させる。掃除機本体２には電動送風機９の排気を吐出させる本体排気口（図示省略）が形成される。
【００１９】
集塵ホース３は可撓性を有し、湾曲可能な細長略円筒状に形成される。集塵ホース３の一端は接続口２ａに着脱可能に接続されて、掃除機本体２の内部に連通される。
【００２０】
手元操作管４の一端は集塵ホース３の他端に設けられ、集塵ホース３を介して掃除機本体２の内部に連通される。
【００２１】
把持部５は電気掃除機１の使用者が把持して電気掃除機１を操作するものである。把持部５は手元操作管４の他端部から、集塵ホース３が設けられた手元操作管４の一端部に向かって、湾曲させて突設される。
【００２２】
操作部６は把持部５に設けられる。操作部６が電気掃除機１の使用者に操作されると、電気掃除機１は複数の駆動モードに設定される。操作部６は電気掃除機１の運転を停止させる切スイッチ６ａや電気掃除機１の運転を開始させる起動スイッチ６ｂなどを有する。
【００２３】
延長管７は、伸縮可能な細長略円筒状に形成される。延長管７の一端は手元操作管４の他端に着脱可能に接続されて、手元操作管４および集塵ホース３を介して掃除機本体２の内部に連通される。
【００２４】
吸込口体８は、延長管７の一端に着脱可能に接続されて、延長管７、手元操作管４および集塵ホース３を介して掃除機本体２の内部に連通される。
【００２５】
電気掃除機１を運転すると、電動送風機９が作動して、掃除機本体２の内に負圧が作用する。この負圧は接続口２ａから集塵ホース３と手元操作管４と延長管７とを経て吸込口体８に作用する。そうすると、電気掃除機１は吸込口体８から空気とともに床などの被掃除面に溜まった塵埃を吸い込んで被掃除面を掃除する。吸込口体８に吸い込まれた含塵空気は、掃除機本体２に収容された集塵パックによって空気と塵埃とに分離される。分離された塵埃は集塵パックに集塵される。他方、分離された空気は、電動送風機９に吸い込まれて、掃除機本体２の本体排気口から吐出される。
【００２６】
図２は、本発明に係る電気掃除機の吸込口体の一部を切り欠いて示した平面図である。
【００２７】
図２に示すように、電気掃除機１の吸込口体８は、横長のケース体１０と、ケース体１０の後部に設けられた接続管部１１とを備える。
【００２８】
なお、説明を容易にするために以下、図２に示す姿勢を基本姿勢とし、吸込口体８に延長管７が接続される接続管部１１を後部、これに対向する側を前部とし、さらに前部から後部を見た状態で上下および左右の方向説明を行う。
【００２９】
ケース体１０は、上側が開放された下ケース１３と、下ケース１３の上側を閉塞する上ケース１４と、下ケース１３と上ケース１４との間に設けられた中ケース１５と、ケース体１０の前面に設けられた前カバー１６と、下ケース１３と上ケース１４との間に挟持されて前カバー１６の側方からケース体１０の両側に亘って連続するバンパ（図示省略）とを備える。
【００３０】
ケース体１０の内部には、回転清掃体１９が収容された回転清掃体室２０と、接続管部１１に連通された吸込室２２と、駆動部２３が収容された駆動室２４と、回転清掃体１９の一部分と駆動部２３の一部分とが収容された側部伝達室２５と、駆動部２３の駆動源である空気が導入される吸気室２６とが区画、形成される。
【００３１】
回転清掃体室２０はケース体１０の前側内部に位置される。また、回転清掃体室２０は下ケース１３と前カバー１６とから区画、形成される。回転清掃体１９の回転軸は、ケース体１０の左右方向に保持される。
【００３２】
吸込室２２および駆動室２４は回転清掃体室２０の後方に位置される。駆動室２４と吸込室２２との間は気密が保たれる。
【００３３】
吸込室２２は下ケース１３と中ケース１５とから区画、形成される。吸込室２２には被掃除面から塵埃を吸い込む横長四角形状の吸込口２７が形成される。吸込口２７は、回転清掃体室２０の後方であって、ケース体１０の左右方向のいずれか、例えば右側に偏倚させて位置される。
【００３４】
他方、駆動室２４は、回転清掃体室２０の後方であって、ケース体１０の左右方向のいずれかの他側、例えば左側に偏倚させて位置される。すなわち、吸込室２２に形成された吸込口２７と駆動室２４とは回転清掃体室２０の後方に並設される。
【００３５】
駆動部２３は回転清掃体１９を回動させる。駆動部２３はエアタービン２３ａと、伝達部２３ｂとを備える。エアタービン２３ａの回転による駆動力は、伝達部２３ｂによって回転清掃体１９に伝達される。
【００３６】
駆動室２４にはタービン室２４ａと伝達室２４ｂとが区画、形成される。タービン室２４ａにはエアタービン２３ａが収容される。タービン室２４ａは上ケース１４と中ケース１５とから区画、形成される。また、タービン室２４ａは接続管部１１に連通される。伝達室２４ｂには伝達部２３ｂが収容される。伝達室２４ｂは下ケース１３と中ケース１５とから区画、形成される。伝達室２４ｂは吸込室２２に並設される。
【００３７】
側部伝達室２５は駆動室２４が偏倚された一側、例えば左側方に区画、形成される。側部伝達室２５には、回転清掃体室２０から回転清掃体１９の一端部が挿入され、伝達室２４ｂから伝達部２３ｂの一部が挿入される。側部伝達室２５の内部では、伝達部２３ｂから回転清掃体１９に駆動力が伝達される。
【００３８】
吸気室２６は上ケース１４と中ケース１５とから区画、形成される。吸気室２６はタービン室２４ａに連通される。吸気室２６に導入された空気は、タービン室２４ａに案内される。タービン室２４ａに案内された空気はエアタービン２３ａを回動させる。
【００３９】
下ケース１３は、下ケース本体２８と、閉塞板２９と、下ケース本体２８の後部から凸字状に形成され、突出部３０とを備える。
【００４０】
下ケース本体２８は、平面視で略横長四角形板状に形成される。下ケース本体２８と上ケース１４と中ケース１５とは、複数の螺子によって一体的に固定される。
【００４１】
下ケース本体２８は回転清掃体室２０の後方の壁部を形成する前壁部３１と、回転清掃体室２０の側方の壁部を形成する一対の側壁部３２とを有する。
【００４２】
前壁部３１は、下ケース本体２８の左右方向に延設される。また、前壁部３１は、回転清掃体室２０に収容された回転清掃体１９の回転軸に略平行で、かつ下ケース本体２８の底面に略垂直に形成される。
【００４３】
側壁部３２は前壁部３１の左右の側端部にそれぞれ位置する。また側壁部３２は、下ケース本体２８の前後方向に延設される。一対の側壁部３２の前端部の間には開口部３３が形成される。開口部３３には、前カバー１６が設けられて回転清掃体室２０が区画、形成される。
【００４４】
すなわち、下ケース本体２８の前壁部３１と、一対の側壁部３２と、開口部３３に設けられた前カバー１６とから回転清掃体室２０が区画、形成される。
【００４５】
前壁部３１の左端部には後方区画壁部３４が延設される。後方区画壁部３４は、前壁部３１の左端部から下ケース本体２８の後方に向けて延設される壁部３４ａと、壁部３４ａの先端部から下ケース本体２８の右方に向けて延設される壁部３４ｂとを有する。後方区画壁部３４と前壁部３１とで駆動室２４が区画、形成される。
【００４６】
閉塞板２９は、下ケース本体２８の底面の左側に着脱可能に設けられる。回転清掃体室２０を形成する側壁部３２と、駆動室２４を形成する壁部３４ａと、下ケース本体２８の外壁の一部と、閉塞板２９とから側部伝達室２５が区画、形成される。閉塞板２９は、側部伝達室２５の蓋体として着脱される。
【００４７】
突出部３０は、下ケース本体２８の後部から凸字状に形成される。突出部３０は接続管部１１の前端側を覆うものである。突出部３０の上面には、接続管部１１の先端部が嵌合する嵌合溝３８が設けられる。
【００４８】
上ケース１４は、下ケース１３の形状に対応した横長四角形板状に形成される。
【００４９】
上ケース１４の右側後部には、複数の小径の丸孔から構成された吸気口３９が形成される。吸気口３９は、タービン室２４ａに連通される。また、吸気口３９は、ケース体１０の前側以外の位置であって、ケース体１０の底部に形成された吸込口２７よりも上側であれば、ケース体１０の任意の位置に設けることができる。すなわち、吸気口３９は、ケース体１０の吸込口２７よりも被掃除面から離間された位置に設けられる。
【００５０】
中ケース１５は、吸気室壁部４１と、タービン室壁部４３とを備える。
【００５１】
吸気室壁部４１は、平面視で横長四角形状に形成される。吸気室壁部４１と上ケース１４とから吸気室２６が区画される。また、吸気室壁部４１と下ケース１３とから吸込室２２が区画される。すなわち、吸気室壁部４１によって吸気室２６と吸込室２２とが区画される。
【００５２】
タービン室壁部４３と上ケース１４とからタービン室２４ａが区画される。タービン室壁部４３は、吸気室２６に連通された導入風路４４を有する。吸気口３９から吸気室２６に吸い込まれた空気（吸気風）は導入風路４４からタービン室２４ａの内部に案内される。タービン室２４ａの内部に案内された空気の流れによってエアタービン２３ａが駆動される。導入風路４４は、吸気室２６からタービン室壁部４３に向かうにつれて流路面積が小さくなるよう形成される。
【００５３】
タービン室壁部４３は、エアタービン２３ａの外周から離間された壁本体部４５を有する。壁本体部４５の上端部は上ケース１４に当接される。壁本体部４５の右前部には、吸気室壁部４１が連続して形成される。
【００５４】
駆動部２３のエアタービン２３ａは、平面視で円形状の扁平なタービン本体４８と、タービン本体４８に一体的に設けられた回転軸４９とを有する。
【００５５】
エアタービン２３ａは、ケース体１０の左右方向の略中央に位置する。
【００５６】
伝達部２３ｂは、いわゆるギアボックスである。伝達部２３ｂは、ベルト５０と、駆動プーリ５１と、伝達部本体５２と、伝達プーリ５３と、伝達ベルト５４とを有する。ベルト５０と、駆動プーリ５１と、伝達部本体５２とは伝達室２４ｂに収容される。伝達プーリ５３と、伝達ベルト５４とは側部伝達室２５に収容される。
【００５７】
ベルト５０はエアタービン２３ａの回転軸４９と駆動プーリ５１との間に巻き掛けられる。ベルト５０はエアタービン２３ａの回転運動を駆動プーリ５１に伝達する。
【００５８】
駆動プーリ５１は伝達部本体５２から下方に伸びた軸回りに回転する。駆動プーリ５１の回転軸は、エアタービン２３ａの回転軸４９とほぼ平行に構成される。
【００５９】
伝達部本体５２はギア収容部であり、所望の歯車の組み合わせにより駆動プーリ５１から伝達プーリ５３に回転運動を伝達する。伝達部本体５２の内部には、駆動プーリ５１に伝達された回転運動を、伝達プーリ５３の回転運動に変換する傘歯車（図示省略）などの動力伝達機構が収容される。
【００６０】
伝達プーリ５３は、伝達部本体５２から側部伝達室２５に伸びた軸回りに回転する。伝達プーリ５３の回転軸は、回転清掃体１９の回転軸とほぼ平行に構成される。
【００６１】
伝達ベルト５４は回転清掃体１９の軸受５５と伝達プーリ５３との間に巻き掛けられる。伝達ベルト５４は伝達プーリ５３の回転運動を回転清掃体１９に伝達する。
【００６２】
前カバー１６は若干の可撓性を有する合成樹脂などの材料で成形される。また、前カバー１６は縦断面視で凸弧状に形成される。
【００６３】
前カバー１６は平面視で横長の前カバー本体５７と、前カバー本体５７の上端部から後方に向けて突設された突設部５８とを有する。また、前カバー１６は、上ケース１４の前端部に左右方向に沿って設けられた回動軸５９に軸支され、前後方向に回動可能に構成される。
【００６４】
突設部５８は、ケース体１０の左右方向に互いに離間され、平面視で四角形状に形成される。
【００６５】
回動軸５９は、例えば金属などの部材で形成される。回動軸５９の両端には、トーションばね（図示省略）が取り付けられ、前カバー１６は前方向に付勢される。
【００６６】
接続管部１１は、延長管７に着脱自在に接続されて連通される。接続管部１１は、ケース体１０に対して前後方向に沿う軸回りおよび上下方向に回動可能に軸支される。接続管部１１は、後端部である下流側が延長管７に接続されて連通される。
【００６７】
図３は、本発明に係る電気掃除機の吸込口体を示した縦断面図である。
【００６８】
図３に示すように、電気掃除機１の吸込口体８のケース体１０の前側内部には、回転清掃体１９が収容された回転清掃体室２０が形成される。回転清掃体室２０は、下ケース１３に形成された前壁部３１と、側壁部３２と、前壁部３１の上端から略水平前方に延設された延出部６３と、ケース体１０の前側から下側に亘って形成された開口部３３の前側を覆う前カバー１６とから区画される。
【００６９】
回転清掃体１９は軸体６６と、清掃部６７とを備える。
【００７０】
軸体６６は略細長円柱状に形成される。軸体６６には軸受５５が形成される。軸体６６は軸受５５を介して左右一対の側壁部３２に軸支される。軸体６６には複数の、例えば６つの取付溝部６８が形成される。取付溝部６８は、軸体６６の軸方向に沿って螺旋状に形成され、周方向に互いに離間される。
【００７１】
清掃部６７は、取付溝部６８に設けられて回転清掃体１９の外周面を構成する、清掃部６７は、取付溝部６８に取り付けられる基端部である被取付部６９と、被取付部６９に複数本ずつ束ねられた状態で突設され、先端部が床面などの被掃除面Ｆに当接されるブラシ毛７０とを備える。ブラシ毛７０は、回転清掃体１９の径方向に突出するように軸体６６に取り付けられる。なお、清掃部６７はブラシ毛７０とブレ−ド（図示省略）との組み合わせ、またはブレードのみを備えるものであっても良い。
【００７２】
下ケース本体２８の底面であって、回転清掃体室２０の後方には、吸込口２７（図１参照）に連通された横長の風路としての吸込溝７１が形成される。
【００７３】
吸込溝７１の前端部と回転清掃体室２０の後端部との間には、回転清掃体室２０と吸込溝７１とを区画する区画壁部７２が形成される。区画壁部７２には、回転清掃体室２０と吸込溝７１とを連通させる連通路７３が形成される。したがって、連通路７３が形成された区画壁部７２は凸リブ状に形成される。
【００７４】
下ケース本体２８の底面であって、吸込溝７１の後方には、ケース体１０の左右方向に細長い往復動清掃体７４ａ、７４ｂが設けられる。往復動清掃体７４ａ、７４ｂは互いに隣接させて設けられる。往復動清掃体７４ａ、７４ｂはスライド基部７５ａ、７５ｂと、起毛布７６ａ、７６ｂとを備える。回転清掃体１９の回転軸と、往復動清掃体７４ａ、７４ｂの水平往復運動の方向とは略平行に構成される。すなわち、往復動清掃体７４ａ、７４ｂは、被掃除面Ｆ上を吸込口体８の左右方向に水平往復運動可能に構成された往復動清掃体である。また、往復動清掃体７４ａ、７４ｂは、互いに相反する方向に水平往復運動可能に構成される。
【００７５】
スライド基部７５ａ、７５ｂは、下ケース本体２８の左右方向に水平往復運動可能に保持される。下ケース本体２８の底壁には複数の長穴７７が形成される。それぞれの長穴７７は、ケース体１０の左右方向に長辺を有する略長方形状に開成される。それぞれの長穴７７にはワッシャ７８を介して締結部材７９が挿通される。それぞれの締結部材７９は、長穴７７の短辺よりも大きい頭部を持つ。それぞれの締結部材７９は、スライド基部７５ａまたはスライド基部７５ｂに固着される。すなわち、締結部材７９は、長穴７７の長辺の方向に移動が可能である。したがって、スライド基部７５ａ、７５ｂは、下ケース本体２８の左右方向に水平往復運動可能に保持される。
【００７６】
スライド基部７５ａの上面には伝達室２４ｂ内に突出させてヨーク部８０が形成される。ヨーク部８０は、下ケース本体２８に形成されたヨーク挿通孔８１を介して伝達室２４ｂ内に突出される。
【００７７】
起毛布７６ａ、７６ｂはスライド基部７５ａ、７５ｂに設けられる。また、起毛布７６ａ、７６ｂは下ケース１３の底面よりも若干下方に突出される。起毛布７６ａ、７６ｂの毛の堅さは、それぞれ適宜に選択できる。起毛布７６ａと起毛布７６ｂとの堅さは異なってもよい。
【００７８】
下ケース本体２８の底面であって、往復動清掃体７４ａ、７４ｂの後方には、接続管部１１に連通された後部吸込口８３が形成される。
【００７９】
下ケース本体２８の後部に形成された突出部３０の下面には、突出部３０内部を封止させる閉塞壁８４が設けられる。閉塞壁８４と被掃除面Ｆとの間には、後部清掃体としての後部起毛布８５が設けられる。後部起毛布８５は、後部吸込口８３の左右方向の両側から後方に亘って連続させて設けられる。
【００８０】
上ケース１４の前端部は、下方に湾曲して形成され、下ケース１３の延出部６３の前端部を覆う。
【００８１】
上ケース１４の左右方向の中央域の後部は、下ケース１３の突出部３０の基端部の上方に突出して形成され、接続管部１１の前端側の外周に嵌合する。
【００８２】
上ケース１４の下部には、下方に向けて平面視円環状のリブ８７が突設される。リブ８７は中ケース１５の壁本体部４５に嵌合される。上ケース１４のリブ８７と中ケース１５のタービン室壁部４３とから駆動室２４が区画される。
【００８３】
中ケース１５の吸気室壁部４１は、タービン室壁部４３に隣接する部分が導入風路４４に向けて下方に凹状に形成される。
【００８４】
中ケース１５のタービン室壁部４３は、略有底円筒状の壁本体部４５と、軸支部９０と、風路区画部９２とを有する。
【００８５】
軸支部９０はエアタービン２３ａを回転可能に軸支する。軸支部９０は壁本体部４５の底部の中心から下方に突設され、略円筒状に形成される。また、軸支部９０は、タービン室２４ａと伝達室２４ｂとを連通させる連通孔９３を中央に備える。
【００８６】
軸支部９０の後側の下端部には、中ケースリブ９５が下方に向けて突設される。他方、下ケース本体２８の後方区画壁部３４には上方に向けて突設された下ケースリブ９６が突設される。中ケースリブ９５の下端部は、下ケースリブ９６の上端部に嵌合する。中ケースリブ９５と下ケースリブ９６とによって後部吸込口８３と駆動室２４との気密が保たれる。
【００８７】
風路区画部９２は導入風路４４を形成する。風路区画部９２は、軸支部９０の下端部から前上方に上凸弧状に傾斜してタービン室壁部４３の底部および吸気室壁部４１に連続させて形成される。また、風路区画部９２は軸支部９０の前方から突設されて、軸支部９０の周囲に沿って軸支部９０の後方の下端部に亘って連続的に形成される。導入風路４４は、吸気室２６からタービン室壁部４３に空気を導入するとともに、タービン室壁部４３から接続管部１１に空気を案内する。風路区画部９２の前端部は、下ケース１３の前壁部３１の上端部に当接させて保持される。
【００８８】
エアタービン２３ａは、平面視で円形状の扁平なタービン本体４８と、タービン本体４８と一体的に設けられた回転軸４９とを有する。
【００８９】
タービン本体４８はタービン室２４ａに収容される。タービン本体４８は、円板状の天板１００と、天板１００の下部に複数突設されたタービン翼１０１とを備える。
【００９０】
タービン翼１０１は、タービン本体４８の中心軸側から天板１００の外周縁に向けて、周方向に湾曲した弧状に形成される。タービン翼１０１は、複数枚設けられる。それぞれのタービン翼１０１はタービン本体４８の周方向に略等間隔に離間される。一部のタービン翼１０１の先端部は導入風路４４に臨む。導入風路４４を通過する空気流をタービン翼１０１に受けると、エアタービン２３ａは回転する。
【００９１】
回転軸４９は軸支部９０に挿通される。回転軸４９はタービン室２４ａから伝達室２４ｂにタービン本体４８の回転運動を伝達する。回転軸４９には抜け止めリング１０２、１０３が形成される。抜け止めリング１０２、１０３は、軸支部９０に形成された段差部１０４、１０５にそれぞれ係合される。回転軸４９は抜け止めリング１０２、１０３によって、軸支部９０に回動自在に保持される。回転軸４９の下端には、クランクピン１０８が下方に向けて突設される。クランクピン１０８は、回転軸４９の中心軸から偏心させて位置される。すなわち、クランクピン１０８は、エアタービン２３ａの回転運動によって回転軸４９が回転運動すると、回転軸４９の中心軸回りに旋回する。
【００９２】
クランクピン１０８は、往復動清掃体７４ａのスライド基部７５ａに形成されたヨーク部８０に挿入される。ヨーク部８０には、平面視において吸込口体８の前後方向に長辺を有し、吸込口体８の左右方向に短辺を有する略長方形状の孔部１０９が形成される。孔部１０９にクランクピン１０８が挿入される。孔部１０９の長辺は、クランクピン１０８の旋回径よりも若干大きく形成される。孔部１０９の短辺は、クランクピン１０８の直径よりも若干大きく形成される。クランクピン１０８は、ヨーク部８０を介してスライド基部７５ａを吸込口体８の左右方向に水平往復運動させる。
【００９３】
回転軸４９は、タービン本体４８の回転運動を伝達して回転清掃体１９と往復動清掃体７４ａ、７４ｂとを駆動させる。
【００９４】
まず、タービン本体４８の回転運動は、回転軸４９によって伝達室２４ｂに収容されたベルト５０を介して駆動プーリ５１に伝達される。駆動プーリ５１に伝達された回転運動は、伝達部本体５２によって伝達プーリ５３の回転運動に変換される。伝達プーリ５３の回転運動は、伝達ベルト５４を介して回転清掃体１９に伝達される。
【００９５】
また、タービン本体４８の回転運動は、クランクピン１０８を旋回させる。旋回するクランクピン１０８は、ヨーク部８０の孔部１０９を介してスライド基部７５ａを水平往復運動させる。そうすると往復動清掃体７４ａは水平往復運動する。
【００９６】
前カバー１６は、前カバー本体５７と、突設部５８とを備える。また、前カバー１６は上ケース１４の前端部に左右方向に沿って設けられた回動軸５９に前後方向に回動可能に軸支される。
【００９７】
前カバー本体５７は前側に凸弧状に形成される。また、前カバー本体５７は、回転清掃体室２０の前側壁を形成する。前カバー本体５７の下端部は、回転清掃体１９の軸体６６の中心軸の水平高さ位置まで延設される。前カバー本体５７の前部には、ケース体１０の幅方向に沿って断面凹弧状の凹部１１０が形成される。前カバー本体５７の後面側には、前後方向に沿って補強用のカバーリブ１１１が設けられる。カバーリブ１１１は、ケース体１０の左右方向に互いに離間させて複数設けられる。
【００９８】
突設部５８は前カバー本体５７の上端部から後方に向けて突設される。突設部５８の後端部は、下ケース本体２８の延出部６３の先端上側に形成された切欠嵌合凹部１１２に嵌合される。突設部５８の下部には、回動軸５９が嵌合される断面視円形状の嵌合凹部１１３が設けられる。嵌合凹部１１３の後端側の縁部には、後方に向けて上側に傾斜した傾斜面部１１４が設けられる。
【００９９】
回動軸５９は、前カバー本体５７の嵌合凹部１１３に下側から嵌合されて、前カバー本体５７に一体的に取り付けられる。
【０１００】
図４は、本発明に係る電気掃除機の吸込口体を示した底面図である。
【０１０１】
なお、説明を容易にするために以下、図４に示す吸込口体の底面図においては、図２に示した基本姿勢における左右を反転させて方向説明を行う。すなわち、図４に示す吸込口体の底面図における右方向は、図２に示した基本姿勢における左方向であり、他方、図４に示す吸込口体の底面図における左方向は、図２に示した基本姿勢における右方向である。
【０１０２】
図４に示すように、吸込口体８のケース体１０の下ケース１３は、下ケース本体２８と、閉塞板２９とを備える。下ケース本体２８の前部には、回転清掃体室２０が形成される。回転清掃体室２０には回転清掃体１９が収容される。回転清掃体１９は、軸体６６と、清掃部６７とを備える。
【０１０３】
軸体６６の両端部には円筒状の軸受５５が嵌着される。軸受５５は、回転清掃体室２０を形成する側壁部３２に回転可能に軸支される。また、右側の軸受５５は、下ケース本体２８から閉塞板２９が取り外されると外部に露出する。
【０１０４】
下ケース本体２８の底面のうち、左側前端部には、拭き取り部材としての前部起毛布１１６が設けられる。前部起毛布１１６の後方には、ケース体１０の左右方向に沿って連通溝１１７が設けられる。連通溝１１７は回転清掃体室２０とケース体１０の左側部とを連通させる。
【０１０５】
下ケース本体２８の底面のうち、回転清掃体室２０の後方には、吸込口２７と、吸込溝７１とが並設される。
【０１０６】
吸込口２７は下ケース本体２８の左側に偏倚させて位置される。
【０１０７】
吸込溝７１は、吸込口２７に連通され、左右方向に伸ばされた横長の風路である。また、吸込溝７１は閉塞板２９の近傍に亘って設けられる。さらに、吸込溝７１は駆動室２４の底面を形成する。
【０１０８】
吸込溝７１と吸込口２７との合計の左右方向寸法は、回転清掃体１９の軸体６６の長手方向寸法、もしくは回転清掃体室２０の左右方向の寸法と略等しく形成される。
【０１０９】
下ケース本体２８の底面のうち、吸込口２７の左側には、ケース体１０の左右方向に沿って吸気溝１１８が設けられる。吸気溝１１８は、ケース体１０の左側部および連通溝１１７を吸込口２７に連通させる。吸込口２７と吸込溝７１と吸気溝１１８とから吸込部１１９が構成される。
【０１１０】
吸込部１１９の前端部と回転清掃体室２０の後端部との間には、回転清掃体室２０と吸込部１１９とを区画する区画壁部７２が形成される。区画壁部７２には、回転清掃体室２０と吸込部１１９とを連通させる連通路７３が形成される。連通路７３は複数、例えば５つの連通路７３がケース体１０の左右方向に離間されて形成される。それぞれの連通路７３は左右方向に細長に形成される。また、それぞれの連通路７３は回転清掃体室２０と吸込口２７との間および回転清掃体室２０と吸込溝７１との間に位置される。すなわち、連通路７３が形成された区画壁部７２は、左右方向に細長の凸リブ状に形成される。区画壁部７２によって被掃除面Ｆに敷かれた絨毯などの敷物が吸込口２７、吸込溝７１あるいは連通路７３に貼り付くことが防止される。
【０１１１】
下ケース本体２８の底面のうち、吸込部１１９の後方には、吸込口２７と吸込溝７１との合計の左右方向寸法より幅広な往復動清掃体７４ａ、７４ｂが設けられる。往復動清掃体７４ａ、７４ｂには起毛布７６ａ、７６ｂが設けられる。起毛布７６ａ、７６ｂは、それぞれ往復動清掃体７４ａ、７４ｂの左右方向寸法に亘って連続したブラシ毛を有する。
【０１１２】
下ケース本体２８の底面のうち、往復動清掃体７４ｂの後方であってケース体１０の左右方向の中央域には、後部吸込口８３が形成される。後部吸込口８３は接続管部１１の吸込側に連通される。
【０１１３】
閉塞板２９は、下ケース本体２８のうち、回転清掃体室２０の右側方であってケース体１０の前端部から後端部に亘って長手状に連続して形成される。閉塞板２９は下ケース本体２８に着脱自在に設けられる。閉塞板２９は、側部伝達室２５の蓋体である。閉塞板２９は装着部材１２１を備える。装着部材１２１を回動させると、閉塞板２９を下ケース本体２８に着脱できる。閉塞板２９を取り付けると、回転清掃体１９の右端部の軸受５５は側部伝達室２５内に回動自在に軸支される。他方、下ケース本体２８から閉塞板２９を取り外すと、側部伝達室２５が開放されて回転清掃体１９を回転清掃体室２０から取り出すことができる。
【０１１４】
閉塞板２９の底面の前端部、すなわち下ケース１３の底面の右前端には、前部起毛布１２２が設けられる。装着部材１２１の前方には、ケース体１０の左右方向に沿って連通溝１２３が形成される。連通溝１２３は回転清掃体室２０とケース体１０の右側部とを連通させる。
【０１１５】
突出部３０はケース体１０の左右方向の中央域の後部に形成される。突出部３０は後端部に向けて幅狭となるように突設される。突出部３０の後端部には、切欠凹部１２４が形成される。切欠凹部１２４には、車輪１２５が回転可能に軸支される。突出部３０の底面には、後部清掃体としての後部起毛布８５が設けられる。後部起毛布８５は、後部吸込口８３の両側に連続させて設けられる。後部吸込口８３は、往復動清掃体７４ｂの起毛布７６ｂと後部起毛布８５とによって周囲を囲まれる。
【０１１６】
バンパ１２８は、前カバー１６の側方からケース体１０の両側に亘って連続して形成される。バンパ１２８は、下ケース１３と上ケース１４との間に挟持される。バンパ１２８は、例えば軟質の合成樹脂などの材料が用いられる。バンパ１２８は、吸込口体８が壁などに衝突した際の緩衝用に設けられる。
【０１１７】
図５は、本発明に係る電気掃除機の吸込口体の部分的な平面図であり、（Ａ）は往復動清掃体を示し、（Ｂ）は往復動清掃体のヨーク部を示す。
【０１１８】
図５（Ａ）および（Ｂ）に示すように、往復動清掃体７４ａは、下ケース本体２８に往復動可能に保持されたスライド基部７５ａを備える。往復動清掃体７４ｂは、下ケース本体２８に往復動可能に保持されたスライド基部７５ｂを備える。スライド基部７５ａとスライド基部７５ｂとは、それぞれ締結部材７９で保持される。締結部材７９は、スライド基部７５ａとスライド基部７５ｂとを、それぞれ下ケース本体２８の左右方向（図５（Ａ）、（Ｂ）中、実線矢）に摺動可能に保持する。
【０１１９】
スライド基部７５ａのヨーク部８０は、下ケース本体２８のヨーク挿通孔８１を介して伝達室２４ｂ内に突出される。ヨーク部８０の孔部１０９にはエアタービン２３ａの回転軸４９に形成されたクランクピン１０８が挿入される。
【０１２０】
スライド基部７５ａとスライド基部７５ｂとは、揺動部材１３０を介して連結される。
【０１２１】
下ケース本体２８には揺動軸１３１と、スライド孔１３２ａと、スライド孔１３２ｂとが形成される。スライド孔１３２ａ、１３２ｂは、下ケース本体２８の左右方向に長辺を有する略長方形孔である。
【０１２２】
揺動部材１３０は揺動軸１３１を中心に揺動可能に設けられる。揺動部材１３０は、揺動軸１３１が挿入される中心孔１３４を有する。揺動部材１３０の一方の端部には摺動孔１３６ａが設けられ、他方の端部には摺動孔１３６ｂが設けられる。摺動孔１３６ａ、１３６ｂは、中心孔１３４の径方向に細長い孔である。
【０１２３】
スライド基部７５ａとスライド基部７５ｂとには、それぞれスライド軸１３７ａ、１３７ｂが形成される。
【０１２４】
図６は、本発明に係る電気掃除機の吸込口体の部分的な断面図である。
【０１２５】
図６に示すように、往復動清掃体７４ａのスライド基部７５ａおよび往復動清掃体７４ｂのスライド基部７５ｂは、下ケース本体２８の長穴７７に挿通された締結部材７９によって保持される。締結部材７９の頭部と下ケース本体２８との間にはワッシャ７８が挟まれて、スライド基部７５ａ、７５ｂの脱落が防止される。
【０１２６】
図７は、本発明に係る電気掃除機の吸込口体の部分的な断面図である。
【０１２７】
図７に示すように、スライド軸１３７ａはスライド孔１３２ａに挿通されて伝達室２４ｂ内に突出される。スライド軸１３７ｂはスライド孔１３２ｂに挿通されて伝達室２４ｂ内に突出される。揺動部材１３０の摺動孔１３６ａにはスライド基部７５ａのスライド軸１３７ａが摺動可能に挿入される。また、揺動部材１３０の摺動孔１３６ｂにはスライド基部７５ｂのスライド軸１３７ｂが摺動可能に挿入される。
【０１２８】
なお、往復動清掃体は往復動清掃体７４ａ、７４ｂの２式のみではなく、３式以上を配置することでもよい。また、回転清掃体１９と往復動清掃体７４ａ、７４ｂとの駆動力はエアタービン２３ａの他に、モータなどの駆動源を用いてもよい。さらに、回転清掃体１９と往復動清掃体７４ａ、７４ｂとの駆動源をそれぞれ個別に設けてもよい。
【０１２９】
次に、本実施形態に係る電気掃除機１の吸込口体８および電気掃除機１の掃除動作を説明する。
【０１３０】
電気掃除機１の使用者は、まず、掃除機本体２の接続口２ａに集塵ホース３を接続する。ついで、手元操作管４に延長管７を接続する。さらに、延長管７に吸込口体８を接続する。
【０１３１】
次に、掃除機本体２から電源コード（図示省略）を引き出して、この電源コードを商用電源を供給するコンセント（図示省略）に接続する。
【０１３２】
次に、把持部５を把持して起動スイッチ６ｂを操作する。そうすると、起動スイッチ６ｂで設定された動作モードに応じて電動送風機９が作動する。
【０１３３】
次いで、電気掃除機１の使用者は、把持部５を把持して床面などの被掃除面Ｆ上で吸込口体８を前後に走行させて被掃除面Ｆから空気とともに塵埃を吸い込む。
【０１３４】
このとき、吸込口体８が床面などの被掃除面Ｆに配置されると、吸込口体８の底面に設けられた起毛布７６ｂと後部起毛布８５とが被掃除面Ｆに当接される。したがって、後部吸込口８３の周囲は、起毛布７６ｂと後部起毛布８５とで閉塞される。そうすると、吸込口体８の底面に形成された吸込口２７と、吸込口体８の上面に形成された吸気口３９とから空気が吸い込まれる。すなわち、吸込口体８に作用した負圧は、接続管部１１から吸込口２７と吸気口３９とに作用する。
【０１３５】
吸込口２７に作用する負圧は、吸込口体８の底面に設けられた連通溝１１７と、吸気溝１１８と、吸込溝７１とに作用する。また、吸込口２７と吸込溝７１とに作用する負圧は、連通路７３を介して回転清掃体室２０に作用する。さらに、回転清掃体室２０に作用する負圧は連通溝１２３に作用する。したがって、連通溝１１７、吸気溝１１８、吸込溝７１、回転清掃体室２０および連通溝１２３から吸込口２７に空気とともに塵埃が吸い込まれる。吸込口２７に吸い込まれた含塵空気は、吸込室２２から接続管部１１に案内される。
【０１３６】
他方、吸気口３９に作用する負圧によって吸気室２６に空気が吸い込まれる。吸気室２６に吸い込まれた空気は導入風路４４に流入する。導入風路４４は吸気室２６からタービン室２４ａに向かうにつれて流路面積が小さくなるので、導入風路４４に流入した空気は流速が速められる。そして、導入風路４４に流入した空気は、導入風路４４から接続管部１１に案内されるとともにタービン翼１０１に当たってエアタービン２３ａを回転運動させる。
【０１３７】
エアタービン２３ａの回転運動は、回転軸４９によって伝達室２４ｂに伝達される。エアタービン２３ａの回転軸４９は、回転清掃体１９と往復動清掃体７４ａ、７４ｂとを作動させる。
【０１３８】
回転清掃体１９の作動について説明する。
【０１３９】
エアタービン２３ａの回転運動は、伝達部２３ｂを介して回転清掃体１９に伝達される。具体的には、まず、エアタービン２３ａの回転運動は、回転軸４９に巻き掛けられたベルト５０を介して駆動プーリ５１に伝達される。次に、駆動プーリ５１の回転運動は、伝達部本体５２を介して伝達プーリ５３に伝達される。伝達プーリ５３の回転運動は、伝達ベルト５４を介して回転清掃体１９に伝達される。そうすると、回転清掃体１９は所定の方向に回転する。
【０１４０】
回転清掃体１９が回転すると、被掃除面Ｆ上の塵埃は、回転清掃体１９のブラシ毛７０に掻き上げられる。回転清掃体１９によって掻き上げられた塵埃は、連通路７３を介して吸込溝７１および吸込口２７に空気とともに吸い込まれる。
【０１４１】
次に往復動清掃体７４ａ、７４ｂの作動について説明する。
【０１４２】
図８は、本発明に係る電気掃除機の吸込口体の往復動清掃体の動作を説明する図である。
【０１４３】
なお、図８の（Ａ）、（Ｂ）、（Ｃ）および（Ｄ）は吸込口体の部分的な平断面図である。また、図８中の実線矢Ｆは吸込口体８の前方向を示し、実線矢Ｒは吸込口体の右方向を示す。
【０１４４】
図８（Ａ）から（Ｄ）に示すように、エアタービン２３ａが回転運動は、回転軸４９のクランクピン１０８を介して往復動清掃体７４ａに伝達される。具体的には、まず、エアタービン２３ａの回転軸４９が回転運動すると、回転軸４９の中心の回りにクランクピン１０８が旋回する。クランクピン１０８が旋回すると、ヨーク部８０の孔部１０９を介してスライド基部７５ａを吸込口体８の左右方向（図８中、実線矢）に水平往復運動する。そうすると、往復動清掃体７４ａは、吸込口体８の左右方向に水平往復運動する。
【０１４５】
往復動清掃体７４ａが水平往復運動すると、揺動部材１３０は下ケース本体２８の揺動軸１３１を中心に揺動する。揺動部材１３０が揺動すると、往復動清掃体７４ｂは往復動清掃体７４ａとは左右反対の方向に水平往復運動する。
【０１４６】
ここで、図８（Ａ）、（Ｂ）、（Ｃ）、（Ｄ）の順に示すように、旋回するクランクピン１０８について回転軸４９の回転角度略９０度ごとに着目する。
【０１４７】
具体的には、図８（Ａ）に示すように、クランクピン１０８が回転軸４９の中心軸から吸込口体８の前方向に偏倚され、孔部１０９の前方の短辺よりに配置されると、往復動清掃体７４ａ、７４ｂは中立位置に配置される。
【０１４８】
次に、図８（Ｂ）に示すように、回転軸４９が時計回りに９０度回転すると、クランクピン１０８は吸込口体８の左方向に偏倚され、孔部１０９の長辺の略中央に配置される。そうすると、ヨーク部８０は吸込口体８の左方向に偏倚される。すなわち、往復動清掃体７４ａは最も左方向に偏倚される。このとき、揺動部材１３０は揺動軸１３１を中心に揺動するので、往復動清掃体７４ｂは最も右方向に偏倚される。
【０１４９】
次に、図８（Ｃ）に示すように、さらに回転軸４９が時計回りに９０度回転すると、クランクピン１０８は吸込口体８の後方向に偏倚され、孔部１０９の後方の短辺よりに配置される。そうすると、ヨーク部８０は吸込口体８の中立位置に配置される。すなわち、往復動清掃体７４ａは中立位置に位置される。このとき、揺動部材１３０は揺動軸１３１を中心に揺動するので、往復動清掃体７４ｂも中立位置に位置される。
【０１５０】
次に、図８（Ｄ）に示すように、さらに回転軸４９が時計回りに９０度回転すると、クランクピン１０８は吸込口体８の右方向に偏倚され、孔部１０９の長辺の略中央に配置される。そうすると、ヨーク部８０は吸込口体８の右方向に偏倚される。すなわち、往復動清掃体７４ａは最も右方向に偏倚される。このとき、揺動部材１３０は揺動軸１３１を中心に揺動するので、往復動清掃体７４ｂは最も左方向に偏倚される。
【０１５１】
このように、クランクピン１０８の旋回は、往復動清掃体７４ａと往復動清掃体７４ｂとを互いに相反する方向に水平往復運動させる。なお、回転軸４９が反時計回りに回転しても同様に、往復動清掃体７４ａと往復動清掃体７４ｂとを互いに相反する方向に水平往復運動させることができる。したがって、往復動清掃体７４ａと往復動清掃体７４ｂとは、吸込口体８の左右方向に１８０°の位相差で往復運動する。
【０１５２】
吸込口体８が被掃除面Ｆの上を走行すると、往復動清掃体７４ａと往復動清掃体７４ｂとは、互いに相反する方向に水平往復運動する。したがって、往復動清掃体７４ａと往復動清掃体７４ｂによって、被掃除面Ｆに存する塵埃は、被掃除面Ｆに略垂直な軸回りに偶力を受ける。すなわち、従来の回転清掃体や往復動清掃体では、被掃除面Ｆに存する塵埃を任意の方向に“はく”動作しか出来ないが、往復動清掃体７４ａと往復動清掃体７４ｂでは、塵埃を被掃除面Ｆからねじり取る動作が可能になる。特に、往復動清掃体７４ａと往復動清掃体７４ｂとは、被掃除面Ｆに付着した塵埃を効果的に除去することが可能になる。
【０１５３】
このとき、往復動清掃体７４ａと往復動清掃体７４ｂとの水平往復運動の位相差は１８０°であり、被掃除面Ｆに存する塵埃は周期的な偶力を受けることになる。すなわち、塵埃を被掃除面Ｆからねじり取る動作は、被掃除面Ｆに略垂直な軸回りにおいて、周期的に回転の方向が切り替わる。そうすると、被掃除面Ｆに存する塵埃は、一定の方向からのみねじり取られる場合に比べて、効果的に除去される。
【０１５４】
被掃除面Ｆに吸込口体８の前後方向と交差する方向へ伸びた溝部がある場合は、往復動清掃体７４ａ、７４ｂが水平往復運動すると、起毛布７６ａ、７６ｂの先端は吸込口体８の前後方向と交差する方向へ伸びた溝部に容易に入り込むことができる。そうすると、溝部に溜まった塵埃は容易に掻き上げられる。溝部から掻き揚げられた塵埃は、吸込溝７１および吸込口２７に空気とともに吸い込まれる。
【０１５５】
次に、電気掃除機１の使用者が吸込口体８が被掃除面Ｆから持ち上げると、吸込口体８の底面に設けられた起毛布７６ｂと後部起毛布８５とが被掃除面Ｆから離れる。そうすると、後部吸込口８３の周囲が開成される。後部吸込口８３が開成されると、後部吸込口８３に空気が吸い込まれ始める。したがって、吸込口２７および吸気口３９では空気の吸込量が減少する。吸気口３９の空気の吸込量が減少すると、エアタービン２３ａの回転が停止する。そうすると、回転清掃体１９と、往復動清掃体７４ａ、７４ｂとが停止する。
【０１５６】
吸込口体８に吸い込まれた含塵空気は、延長管７と手元操作管４と集塵ホース３とを順次に通過した後、掃除機本体２の接続口２ａに案内される。次に、含塵空気は、掃除機本体２の内部に吸い込まれる。
【０１５７】
含塵空気に含まれた塵埃は、掃除機本体２に収容された集塵パックで捕集される。
【０１５８】
塵埃が分離された空気は、電動送風機９に吸気されて排気風となり、本体排気口から掃除機本体２の外部に排気される。
【０１５９】
本実施形態に係る吸込口体８によれば、被掃除面Ｆに存する塵埃を任意の一方向に“はく”動作に加えて、塵埃を被掃除面Ｆからねじりとる動作が可能になる。したがって、“はく”動作では除去が困難な塵埃を、ねじりとる動作によって容易に被掃除面Ｆから除去出来る。そうすると、電気掃除機１の使用者は、吸込口体８を何度も往復運動させる必要がなくなり、電気掃除機１の利便性が高まる。
【０１６０】
また、往復動清掃体を３式以上設けることで、塵埃により互いに回転方向の異なるねじりを加えることが可能である。そうすると、塵埃を被掃除面Ｆから飛躍的に容易に除去可能になる。
【０１６１】
また、本実施形態に係る吸込口体８によれば、被掃除面Ｆの溝に交わる方向に吸込口体８が移動されても、溝に挟まった塵埃を容易に掻きとって除去できる。
【０１６２】
すなわち、本実施形態に係る吸込口体８および電気掃除機１によれば、被掃除面Ｆ上に存する塵埃を効率的に除去できる。
【０１６３】
また、電気掃除機１としては、キャニスタ型の電気掃除機１に限らず、吸込口体８が掃除機本体２の下部に直接形成されたアップライト型、あるいは、ハンディ型などの電気掃除機であっても対応させて用いることができる。
【図面の簡単な説明】
【０１６４】
【図１】本発明に係る電気掃除機の外観を示した図。
【図２】本発明に係る電気掃除機の吸込口体の一部を切り欠いて示した平面図。
【図３】本発明に係る電気掃除機の吸込口体を示した縦断面図。
【図４】本発明に係る電気掃除機の吸込口体を示した底面図。
【図５（Ａ）】本発明に係る電気掃除機の吸込口体の部分的な平面図であり、往復動清掃体を示す。
【図５（Ｂ）】本発明に係る電気掃除機の吸込口体の部分的な平面図であり、往復動清掃体のヨーク部を示す。
【図６】本発明に係る電気掃除機の吸込口体の部分的な断面図。
【図７】本発明に係る電気掃除機の吸込口体の部分的な断面図。
【図８】本発明に係る電気掃除機の吸込口体の往復動清掃体の動作を説明する図。
【符号の説明】
【０１６５】
１  電気掃除機
２  掃除機本体
２ａ  接続口
３  集塵ホース
４  手元操作管
５  把持部
６  操作部
６ａ  切スイッチ
６ｂ  起動スイッチ
７  延長管
８  吸込口体
９  電動送風機
１０  ケース体
１１  接続管部
１３  下ケース
１４  上ケース
１５  中ケース
１６  前カバー
１９  回転清掃体
２０  回転清掃体室
２２  吸込室
２３  駆動部
２３ａ  エアタービン
２３ｂ  伝達部
２４  駆動室
２４ａ  タービン室
２４ｂ  伝達室
２５  側部伝達室
２６  吸気室
２７  吸込口
２８  下ケース本体
２９  閉塞板
３０  突出部
３１  前壁部
３２  側壁部
３３  開口部
３４  後方区画壁部
３４ａ  壁部
３４ｂ  壁部
３８  嵌合溝
３９  吸気口
４１  吸気室壁部
４３  タービン室壁部
４４  導入風路
４５  壁本体部
４８  タービン本体
４９  回転軸
５０  ベルト
５１  駆動プーリ
５２  伝達部本体
５３  伝達プーリ
５４  伝達ベルト
５５  軸受
５７  前カバー本体
５８  突設部
５９  回動軸
６３  延出部
６６  軸体
６７  清掃部
６８  取付溝部
６９  被取付部
７０  ブラシ毛
７１  吸込溝
７２  区画壁部
７３  連通路
７４ａ、７４ｂ  往復動清掃体
７５ａ、７５ｂ  スライド基部
７６ａ、７６ｂ  起毛布
７７  長穴
７８  ワッシャ
７９  締結部材
８０  ヨーク部
８１  ヨーク挿通孔
８３  後部吸込口
８４  閉塞壁
８５  後部起毛布
８７  リブ
９０  軸支部
９２  風路区画部
９３  連通孔
９５  中ケースリブ
９６  下ケースリブ
１００  天板
１０１  タービン翼
１０２、１０３  抜け止めリング
１０４、１０５  段差部
１０８  クランクピン
１０９  孔部
１１０  凹部
１１１  カバーリブ
１１２  切欠嵌合凹部
１１３  嵌合凹部
１１４  傾斜面部
１１６  前部起毛布
１１７  連通溝
１１８  吸気溝
１１９  吸込部
１２１  装着部材
１２２  前部起毛布
１２３  連通溝
１２４  切欠凹部
１２５  車輪
１２８  バンパ
１３０  揺動部材
１３１  揺動軸
１３２ａ、１３２ｂ  スライド孔
１３４  中心孔
１３６ａ、１３６ｂ  摺動孔
１３７ａ、１３７ｂ  スライド軸
【図１】
0005253885.tif 000002
【図２】
0005253885.tif 000003
【図３】
0005253885.tif 000004
【図４】
0005253885.tif 000005
【図５（Ａ）】
0005253885.tif 000006
【図５（Ｂ）】
0005253885.tif 000007
【図６】
0005253885.tif 000008
【図７】
0005253885.tif 000009
【図８】
0005253885.tif 000010